(57)【特許請求の範囲】
【請求項１】
ガラス瓶を容器とする注射薬（５）を払い出してトレイ（６）に収容する注射薬払出装置に使用されるトレイであって、注射薬収容部（６ｂ）の内面には、注射薬収容部（６ｂ）の一端側に設けられ払い出された注射薬（５）を滑走させて案内する案内傾斜部（６ａ）と、該案内傾斜部（６ａ）から延設され案内傾斜部（６ａ）を滑走する注射薬（５）を注射薬収容部（６ｂ）の他端側まで一直線状に案内する複数の凹状案内路（６ｇ）とを有していることを特徴とする注射薬払出装置用のトレイ。
【請求項２】
ガラス瓶を容器とする各種の注射薬（５）を収納する注射薬収納部（２）と、処方箋等に従って順次払い出される各種注射薬（５）を収容するためのトレイ（６）を収納する収容体収納部（３）とを備えた注射薬払出装置であって、トレイ（６）は、注射薬収容部（６ｂ）の一端側に設けられ払い出された注射薬（５）を滑走させて案内する案内傾斜部（６ａ）と、該案内傾斜部（６ａ）から延設され案内傾斜部（６ａ）を滑走する注射薬（５）を注射薬収容部（６ｂ）の他端側まで一直線状に案内する複数の凹状案内路（６ｇ）とを有し、注射薬収納部（２）は、排出された注射薬（５）を収容体収納部（３）側へと搬送する搬送コンベア（２ｃ）を備え、収容体収納部（３）は、最下部のものから順次落下排出したトレイ（６）を搬送コンベア（２ｃ）により搬送されてきた注射薬（５）を収容する所定位置まで載置して移送する位置決め搬送装置（３ｂ）を備え、該位置決め搬送装置（３ｂ）は、搬送コンベア（２ｃ）と交差する方向に設けられて、搬送コンベア（２ｃ）から排出される注射薬（５）が案内傾斜部（６ａ）を滑走して凹状案内路（６ｇ）に収容されるようにトレイ（６）を載置することを特徴とする注射薬払出装置。
【請求項３】
位置決め搬送装置（３ｂ）は、順次排出される注射薬を複数の凹状案内路（６ｇ）に整列状態で載置して収容するために、トレイ（６）を凹状案内路（６ｇ）の幅寸法と略同じ距離移動させては停止させる工程を繰り返す請求項２に記載の注射薬払出装置。
【請求項４】
処方箋等に従って順次払い出される各種注射薬（５）を、容器の大きいものから順にトレイ（６）側へと払い出す注射薬選択装置（１ｃ）を備える請求項２又は３に記載の注射薬払出装置。
【発明の詳細な説明】
【０００１】
【発明の属する技術分野】
本発明は、注射薬払出装置に関し、更に詳しくは、各種病院等に設置され、且つ主としてアンプル等の注射薬を、患者毎の処方箋等に従って適宜払い出すための注射薬払出装置に関する。
【０００２】
【従来の技術】
従来、この種注射薬払出装置としては、例えば、特開平７−８８１５９号公報所載のものが存在する。
【０００３】
即ち、上記公報所載の注射薬払出装置は、注射薬収容容器（図示せず）を収納した容器ストッカ１３と、各種のアンプル等の注射薬（図示せず）をカートリッジ１４ａの夫々に収納すると共に、前記容器ストッカ１３から取り出されて搬送コンべア（図示せず）で搬出された注射薬収容容器に、カートリッジ１４ａ内に収納されてなる各種注射薬を適宜の取り出し機構、片寄せ機構及び垂直コンベア（図示せず）を介して一本づつ整列させて収納する機能を有した注射薬収納庫１４と、注射薬が収容された注射薬収容容器に、処方箋等の内容をトレイラベル（図示せず）に印字して貼り付ける印字ユニット１５と、トレイラベルが貼り付けられた注射薬収容容器を保管する保管庫１６と、使用時に前記トレイラベル等の各種諸事項を監査する監査ユニット１７とから構成されてなるものである。
【０００４】
【発明が解決しようとする課題】
然しながら、上記構成からなる注射薬払出装置に於いては、下記の様な問題点があった。
即ち、上記構成からなる注射薬払出装置は、スタート時に容器ストッカ１３から注射薬収容容器を取り出し、その後搬送コンベアを介して注射薬収容容器を注射薬収納庫１４まで搬送した後、該注射薬収納庫１４のカートリッジ１４ａ内に収納されてなる各種注射薬を適宜の取り出し機構、片寄せ機構及び垂直コンベアを介して一本づつ注射薬収容容器内に整列させて収納することから、注射薬収納庫１４に必ず注射薬の取り出し機構、片寄せ機構及び垂直コンベアを具備させなければならず、よって注射薬収納庫１４の製品コストが著しく高騰するだけでなく各種メンテナンスも煩雑なものとなる。
【０００５】
更に、前記各種の機構を備えるためには、各種機構の取付けスペースも必要となり、必然的にカートリッジ１４ａ内に収納される各種注射薬の収納数が制限されることになる。
よって、各種注射薬の収納数をある程度確保しようとすれば注射薬収納庫１４を大型化しなければならず、このことは各種分野の装置が近年共通の課題とする省スペース化に大きく反することになる。
従って、例えば上記注射薬払出装置に具備された注射薬の取り出し機構を除く片寄せ機構，垂直コンベア等を廃止して取り出し機構を介して取り出された注射薬を、例えば樋状の案内体上を摺動させて所定の箇所まで案内して排出すると共に、該排出された注射薬をトレイ等の収容体によって受け取る構成にすれば注射薬収納庫の製品コストを低減させつつ各種メンテナンスも極めて簡単で、しかも最少のスペースに最大数の注射薬を収納することが可能にはなるが、如何せん、樋状の案内体上を摺動させて所定の箇所まで案内して排出される注射薬は、１つの収容体に対して１個収容されるのは極めて稀で、通常は１つの収容体に大小様々な注射薬が複数本同時に収容されることから、案内体から排出された注射薬が直接収容体に衝突したり又先に収容された注射薬に後から収容されるべく排出された注射薬が衝突したりして注射薬（アンプルはガラス瓶を用いてなる）の容器にひびや割れが生じる可能性もあり、先に収容体に収容された注射薬の容器より後から収容される注射薬の容器の方が大きい場合には先に収容体に収容された注射薬の容器にひびや割れが生じる率が極めて高くなるという問題が生じていた。
【０００６】
更に、上記構成からなる注射薬払出装置は、容器ストッカ１３、注射薬収納庫１４及び保管庫１６と順次並べられてなることから、前記容器ストッカ１３への空の注射薬収容容器の収納（補充）作業と保管庫１６からの注射薬が収容された注射薬収容容器の取り出し作業を離れた場所で行わなければならず、よって作業効率も著しく低下するという種々の極めて重大な問題をも生じていた。
【０００７】
然して、本発明は上記問題点を解決するものであり、注射薬収納庫の製品コストを低減させつつ各種メンテナンスも極めて簡単で、しかも最少のスペースに最大数の注射薬を収納することが出来るだけでなく、順次払い出される注射薬の破損も確実に防止することも可能で、更に収容体収納部への空の収容体の収納（補充）作業と注射薬を収容した収容体保管部からの注射薬収納済の収容体の取り出し作業に係る作業効率を確実に、且つ著しく向上させることが出来る極めて優れた注射薬払出装置を提供することを課題とするものである。
【０００８】
【課題を解決するための手段】
本発明は、上記課題を解決するために全く新しい注射薬払出装置を発明し、以下の手段を講じたものである。
【０００９】
即ち、本発明に係る注射薬払出装置１に使用するトレイは、ガラス瓶を容器とする注射薬５を滑走させて案内する案内傾斜部６ａと、該案内傾斜部６ａから延設され案内傾斜部６ａを滑走する注射薬５を注射薬収容部６ｂの他端側まで一直線状に案内する複数の凹状案内路６ｇとを有していることから、払い出されて排出される注射薬５を案内傾斜部６ａを介して確実に且つスムーズに注射薬収容部６ｂまで案内して収容することができ、また、凹状案内路６ｇによって注射薬収容部６ｂのうちの所定の箇所に注射薬を位置決めさせて収容することができ、注射薬５の容器の割れやかけ等の破損を確実に防止することが出来る大きな利点を有する。
【００１３】
更に、位置決め搬送装置３ｂが、トレイ６を凹状案内路６ｇの幅寸法と略同じ距離移動させては停止させる工程を繰り返すので、移動，停止を繰り返す位置決め搬送装置３ｂを介して移動するトレイ６内に、順次払い出される注射薬５を前記注射薬５の排出方向と交差する方向に整列状態で収容させることが出来、よって収容時における各注射薬５の衝突を確実に回避することが可能となって、より確実に注射薬５の容器の割れやかけ等の破損を防止することが出来る極めて大きな利点がある。
【００１４】
更に、処方箋等に従って順次払い出される各種注射薬５を、容器の大きいものから順にトレイ６側へと払い出す注射薬選択装置１ｃを備えることから、常にトレイ６内には、予め容器の大きいものから収容された後に容器の小さいものが投入されることとなり、よって先にトレイに収容された注射薬の容器より後から収容される注射薬の容器の方が大きい場合において夫々の注射薬が衝突した際に、先に収容されてなる小さい容器を有する注射薬の容器にひびや割れ等の破損を生じさせるといった不都合を確実に回避することが出来る利点を有する。
【００１５】
【発明の実施の形態】
＜第一実施形態＞
以下、本発明の一実施形態を図面に従って説明する。図１に於いて、１は処方箋等の注射薬払い出し指示情報等にもとずいた装置駆動命令を順次発するホストコンピュータ（図示せず）に接続された注射薬払出装置を示し、１ａは後述する各種の装置が一体的に設けられた注射薬払出装置本体を示すと共に、１ｃは該注射薬払出装置本体１ｃ又は前記ホストコンピュータの何れかに装着され、且つ処方箋等に従って順次払い出される各種注射薬５を、容器の大きいものから順に払い出すための動作指示を後述する注射薬収納部へと発する注射薬の破損防止手段の一つとしての注射薬選択装置１ｃを示す。
【００１６】
２は前記注射薬払出装置本体１ａの一部を構成すると共に、硝子瓶等に充填された各種の注射薬５をスライドキャビネット２ａに収納する注射薬収納部を示し、前記注射薬５の払出機構（図示せず）を有すると共に、下部には払出機構を介して排出された注射薬５を後述する収容体収納部側へと搬送する搬送コンベア２ｃが設けられてなる。尚、本実施形態に係る注射薬収納部２は、小型の各種注射薬５を正面視横三列で収納した第１注射薬収納部２Ａと、大型の各種注射薬５を正面視横二列で収納した第２注射薬収納部２Ｂとを夫々横一列で連接した構成にしてなり、しかも前記第１注射薬収納部２Ａの搬送コンベア２ｃと第２注射薬収納部２Ｂの搬送コンベア２ｃとは夫々の装置内で一直線状に位置決めされることで第１注射薬収納部２Ａから排出された注射薬５であっても夫々の搬送コンベア２ｃで受渡して空の収容体を収容する収容体収納部側へと搬送することが出来ることから、使用する注射薬５の使用量や種類に即時対応して注射薬収納部を簡単に増減することが出来るという極めて優れた汎用性を注射薬払出装置本体に具備させることが出来る利点を備えたものである。
【００１７】
３は空の収容体を重合状態で積み重ねて収納すべく前記注射薬収納部２に連接された収容体収納部を示し、且つ該収容体収納部３に収納されるトレイ（収容体）６は、図２及び図３に示す様に、平面視略矩形状で、且つ全体を船形に形成し、一端側に注射薬５の案内傾斜部６ａを形成した注射薬収容部６ｂを有すべく樹脂材によって成形されると共に、該注射薬収容部６ｂの開口周縁には所定の幅を有した鍔部６ｄが周設されてなり、しかも注射薬収容部６ｂの長手方向側で対向する該注射薬収容部６ｂの外側部の夫々には、前記案内傾斜部６ａと反対方向側に所定の寸法でオフセットされ、且つ所定の間隔を有すべく突出した逆三角形状の凸部６ｈが対向して夫々２個設けられ、且つ長手方向側で対向する前記鍔部６ｄの上面の夫々には、前記案内傾斜部６ａよりにオフセットされ、且つ前記凸部６ｈの頂部６ｅの夫々が嵌入可能な間隔を有した矩形状の凹部６ｆが対向して夫々２個設けられ、しかも前記注射薬収容部６ｂの内面には、該注射薬収容部６ｂの一端側に設けられた注射薬５の案内傾斜部６ａと、該案内傾斜部６ａから延設され、且つ該案内傾斜部６ａを滑走してくる注射薬５を注射薬収容部６ｂの他端側まで一直線状に案内するための複数の凹状案内路６ｇとからなる注射薬５の破損防止手段の一つが設けられてなる。
【００１８】
よって、注射薬収納部２から払い出されて搬送コンベア２ｃによって搬送され、且つ該搬送コンベア２ｃから排出される注射薬５をトレイ６に設けられた破損防止手段としての案内傾斜部６ａと凹状案内路６ｇを介して確実に、且つスムーズに注射薬収容部６ｂまで案内してトレイ６内に収容することが可能となり、よって注射薬５を充填した硝子瓶等の割れやかけ等の破損を確実に防止することが出来る大きな利点を有する。
【００１９】
更に、上記構成からなるトレイ６は、図４（イ）に示す様に、各トレイ６の夫々を同方向に積み重ねた際に上方側に位置するトレイ６の注射薬収容部６ｂの外底部が下方側に位置するトレイ６の注射薬収容部６ｂ内に重合状態に嵌入され、且つトレイ６の夫々を逆方向で交互に積み重ねた際には、同図（ロ）の様に、上方側に位置するトレイ６が、該トレイ６の注射薬収容部６ｂの外側部に突出した凸部６ｈの頂部６ｅを下方側に位置するトレイ６の鍔部６ｄの上面に設けられた矩形状の凹部６ｆに夫々嵌入させることで、下方側に位置するトレイ６の注射薬収容部６ｂ内に所定の空間６ｃを有すべく位置決めされて順次載置することが出来るために、収容体収納部３に空トレイ６を最大効率となるべく最多数に収納することが出来る利点を有する。
【００２０】
よって、収容体収納部３への空のトレイ６の収納（補充）作業の回数を必要最小限に止めることが出来るだけでなく、注射薬収容部６ｂに注射薬５が収容された場合には、夫々のトレイ６を確実に位置決め載置して一度に多数のトレイ６を安全に回診ワゴン等へ載せ替えたり病室までより安全に運ぶことが出来る利点を有する。
【００２１】
尚、上記の如く空のトレイ６を重合状態で積み重ねて収納する収容体収納部３の下方には、図５に示す様に、最下部に位置する空のトレイ６を順次落下させて排出（矢印Ｅ）する所定の機構を有した収容体排出装置７が設けられ、且つ該収容体排出装置７には、図６（イ）に示す様に、排出される空のトレイ６を載置すると共に前記注射薬収納部２の下部に設けられた搬送コンベア２ｃを介して搬送されてきた注射薬５の排出部１２まで移送（矢印Ｆ）するコンベアを有した注射薬の破損防止手段の一つとしての位置決め搬送装置３ｂが前記搬送コンベア２ｃと交差する方向に設けられてなり、しかも該位置決め搬送装置３ｂは、同図（ロ）に示す様に、トレイ６の注射薬収容部６ｂの案内傾斜部６ａと交差する方向に位置する注射薬収容部６ｂの一方端側の凹状案内路６ｇが前記排出部１２より排出される注射薬５を受けて注射薬収容部６ｂまで案内可能とする所定の位置までトレイ６を移送することから、注射薬収納部２から排出された注射薬５をトレイ６内の一方端側に確実に収容させるべく、極めて短時間にトレイ６を注射薬５の排出部１２と対向する所定の箇所に位置決めさせることが出来る利点がある。
【００２２】
更に、上記の如く注射薬５の排出部１２と対向すべく位置決めされた空のトレイ６には、前記搬送コンベア２ｃを介して搬送（矢印Ｇ）されてきた注射薬５が順次搬送コンベア２ｃの排出部１２より排出されて収容されることになるが、この時該排出部１２より排出された注射薬５は、トレイ６の注射薬収容部６ｂの一方端側の案内傾斜部６ａ上を滑動すると共に、注射薬収容部６ｂの一方端側の凹状案内路６ｇをも滑動して該凹状案内路６ｇに位置決め状態で載置されて注射薬収容部６ｂに収容されることになる。
【００２３】
尚、上記の如く注射薬収容部６ｂの一方端側の凹状案内路６ｇに注射薬５を載置して収容したトレイ６は、同図（ハ）に示す様に、前記注射薬５を順次収容する毎に前記位置決め搬送装置３ｂのコンベアが、注射薬収容部６ｂの凹状案内路６ｇの幅寸法と略同じ距離に該トレイ６を移送（矢印Ｈ）しては停止する工程を繰り返すべく駆動することで一方端側の凹状案内路６ｇから他方端側の凹状案内路６ｇ）即ち注射薬５の排出方向と交差する方向に順次排出（矢印Ｉ）される注射薬５を整列状態で載置して収容することになる。
【００２４】
よって、搬送コンベア２ｃの排出部１２から順次排出される注射薬５は、移動，停止を繰り返す位置決め搬送装置３ｂを介して移動する収容体６内に、注射薬５の排出方向と交差する方向で整列状態に収容されることとなり、よって収容時における各注射薬５の衝突を確実に回避することが可能となって、より確実に注射薬５を充填した硝子瓶等の割れやかけ等の破損を防止することが出来る極めて大きな利点がある。
【００２５】
４は前記収容体収納部３に連接され、且つ前記の如く所定本数の注射薬５を収容すると共に、位置決め搬送装置３ｂより移しかえられた注射薬収容済のトレイ６を所定の日時保管するための収容体保管部を示し、該収容体保管部４には、図７（イ）に示す様に、注射薬収容済のトレイ６を順次収容体保管部の正面（前面）側へと移送（矢印Ｊ）する取り出しコンベア４ｂと、該取り出しコンベア４ｂを介して移送（矢印Ｋ）されたトレイ６の両端側の鍔部６ｄの夫々を下方側より夫々保持すると共に上方へと移送するための保持体８ａを所定の間隔で具備した左右一対の垂直コンベアからなる注射薬収容済収容体移送装置８が設けられてなり、しかも収容体保管部４の所定の箇所には取り出しコンベア４ｂを介して移送されるトレイ６内へと各種患者情報や注射薬５の払い出しの有無等の処方箋情報を印字によって表示した紙片等の表示体９ａを投入する払出内容告知装置９が設けられてなる。
【００２６】
よって、前記の如く表示体９ａ及び所定本数の注射薬５を収容して注射薬収容済収容体移送装置８まで取り出しコンベア４ｂを介して移送されてきた注射薬収容済のトレイ６は、同図（ロ）に示す様に、注射薬収容済収容体移送装置８の駆動（矢印Ｌ）を介して移動する一対の保持体８ａによって両端側の鍔部６ｄの夫々を下方側より夫々保持されて上方へと順次移送（矢印Ｍ）されることから、注射薬５を払い出すための処方箋等の順番と、最上部より順次取り出される注射薬収容済のトレイ６に収容された注射薬５の払い出し内容とを容易に一致させることが出来る利点を有するが。該トレイ６内には処方箋情報を印字によって表示した紙片等の表示体９ａが投入されてなることから、従来の様に処方箋等の内容を印字したトレイラベル等をトレイ６に貼り付ける様な複雑な機構を全く有することなく簡単に、且つ確実にトレイ６内に投入された表示体９ａを介して払い出された注射薬５等の処方箋情報の確認を行うことが出来る種々の利点を有することになり、しいては注射薬５の払い出し内容を容易に一致させてより確実な注射薬５の払い出し管理が可能になるという格別な利点がある。
【００２７】
更に、上記構成からなる注射薬払出装置本体１ａにおいて、１０は前記注射薬収納部２の上部に設けられたスライドキャビネット２ａの開閉等の各種操作を行うための操作パネルを示し、１１は前記空の収容体収納部３及び注射薬収容済の収容体の収容体保管部４の各種の動作不良やトレイの在庫切れ等のエラーを外部表示するエラー表示パネルを示す。尚、上記の如く連接された空の収容体収納部３及び注射薬収容済の収容体の収容体保管部４の正面（前面）側には、夫々に設けられた観音開きの開閉扉３ａ，４ａが取り付けられた構成にしてなり、しかも前記構成からなる注射薬払出装置本体１ａの下部には、前記各部に設けられた各種コンベアの作動状態や搬出される注射薬の搬送状態を随時確認することが出来る確認窓１ｂが夫々所定の箇所に複数設けられてなる。
【００２８】
本発明に係る注射薬払出装置１によれば、処方箋等に従って順次払い出される各種注射薬５を収容するための空の収容体を積み重ねて収納する収容体収納部３が、各種の注射薬５を収納する注射薬収納部２と、処方箋等に従って該注射薬収納部２より払い出された注射薬５を収容する注射薬収容済収容体を保管する収容体保管部４との間に設けられてなることから、スタート時に所定の注射薬５を注射薬収納部２から排出させ、その後排出された注射薬５を搬送コンベア２ｃによって搬送し、且つ該搬送コンベア２ｃから排出される注射薬５を待ち構えた収容体６で受けるだけで収容体６内に順次注射薬５を落とし込んで収容することが可能となり、よって注射薬収納部２の製品コストを低減させつつ各種メンテナンスも極めて簡単で、しかも最少のスペースに最大数の注射薬５を収納することが出来る大きな利点を有することが出来る。
【００２９】
更に、本発明の注射薬払出装置１によれば、空収容体の収容体収納部３と注射薬収容済収容体の収容体保管部４が隣合わせに位置決めされて一体的に連接されてなることから、注射薬５を受けた注射薬収納済の収容体６を即時収容体保管部４で保管することが可能となって注射薬５の払い出しから保管までのサイクルを短縮させて装置稼動率を向上させることが出来るだけでなく、空収容体の収容体収納部への空の収容体の収納（補充）作業と注射薬収容済収容体の収容体保管部からの注射薬収納済収容体の取り出し作業に係る作業効率を確実に、且つ著しく向上させることが出来る極めて優れた利点を有する。
【００３０】
尚、上記実施形態において、注射薬収納部は各種の注射薬を収納した第１注射薬収納部と第２注射薬収納部とが連接され、且つ注射薬は夫々のスライドキャビネットに収納されてなるが、注射薬収納部の具体的な連接数や注射薬収納構造等も決して限定されない。
【００３１】
更に、上記実施形態において、注射薬払出装置本体１ｃ又は前記ホストコンピュータの何れかには、処方箋等に従って順次払い出される各種注射薬５を、容器の大きいものから順に払い出すための動作指示を後述する注射薬収納部へと発する注射薬の破損防止手段の一つとしての注射薬選択装置１ｃが設けられてなることから、先に収容体に収容された注射薬５の容器より後から収容される注射薬５の容器の方が大きい場合において夫々の注射薬５が衝突した際に、先に収容されてなる小さい容器を有する注射薬の容器にひびや割れ等の破損を生じさせるといった不都合をより確実に回避することが出来る利点を有する。
【００３２】
更に、上記実施形態において、注射薬の収容体６にはトレイが用いられ、且つ該トレイには注射薬５の案内傾斜部６ａと、該案内傾斜部６ａから延設され、且つ該案内傾斜部６ａを滑走してくる注射薬５を注射薬収容部６ｂの他端側まで一直線状に案内するための複数の凹状案内路６ｇとからなる注射薬５の破損防止手段の一つが設けられてなるが、トレイに設けられる注射薬５の破損防止手段が必ずしも案内傾斜部６ａや凹状案内路６ｇである必要はなく、例えばトレイに設けられる注射薬５の破損防止手段が、図８（イ）に示す様に、凹状案内路６ｇが形成されたトレイの底面が案内傾斜部６ａと対向する方向側に沿って先上がりの傾斜底面６ｈであってもよく、この場合にはトレイ内に投入された注射薬の排出時の慣性を介しての勢いを和らげてトレイ自体や先に収容された注射薬との衝突を回避することが出来る利点を有する。
【００３３】
更に、破損防止手段が、同図（ロ）に示す様に、案内傾斜部６ａと対向する方向側に位置するトレイの壁面に設けられた緩衝体６ｉであってもよく、又同図（ハ）の様に、トレイの底面に展着状態で設けられた弾性樹脂材等の内面材６ｊであってもよく、更に同図（ニ）に示す様に、トレイの底面に所定の間隔で設けられた波状凸体６ｋであってもよく、上記何れの場合であってもトレイ内に投入された注射薬の排出時の慣性を介しての勢いを和らげてトレイ自体や先に収容された注射薬との衝突を回避することが出来る利点を有する。
【００３４】
更に、上記各実施形態において、収容体６はトレイを用いてなるが、本発明に係る注射薬払出装置に用いられる収容体６は必ずしも一端側に案内傾斜部６ａを有したトレイに限定されるものではなく、例えば、図９（イ）に示す様に、収容体６が所定の材質を有した袋体で形成され、しかも該袋体の開口部６ｎを注射薬払出装置本体１ａに内蔵され、且つ吸引ノズルを介しての吸引力によって開口部６ｎの対峙する端縁近傍を夫々離間する方向に開口（矢印Ｎ）する袋体開口兼位置決め装置１８及びその補助具１８ａであってもよく、この場合であっても、注射薬５の排出部１２と対向すべく位置決めされた袋体６には、排出（矢印Ｄ）される注射薬５が順次収容されることになるが、この時排出部１２より排出された注射薬５は、袋体６の注射薬収容部６ｂ内を滑動して注射薬収容部６ｂに収容されることになる。
【００３５】
よって、上記の如く注射薬収容部６ｂ内の一方端側に注射薬５を収容する袋体６は、同図（ロ）に示す様に、前記注射薬５を順次収容する毎に前記袋体開口兼位置決め装置１８が、注射薬収容部６ｂに収容される注射薬５の幅寸法と略同じ距離に該袋体６を移送（矢印Ｐ）しては停止する工程を繰り返すべく移動することで注射薬５の排出方向と交差する方向で袋体８の一端側から他端側へと投入される注射薬５を整列状態で収容することが出来る利点を有する。
【００３６】
尚、上記の如く収容体に袋体を用いた場合において、同図（ハ）に示す様に、袋体６の内部に、複数の気泡室をするエアークッションや発泡樹脂等を用いたクッション材６１を設けたり、同図（ニ）示す様に、袋体６の内部に、ゴム材等のコーティングを施してもよく、この場合でも袋体６内に収容される注射薬５の破損等を防止することが出来る利点を有する。
【００３７】
然して、要は処方箋等に従って順次払い出される各種注射薬を収容する収容体を有した注射薬払出装置に於いて、前記収容体又は注射薬払出装置本体の少なくとも何れか一方に、前記収容体に収容される注射薬の破損防止手段が設けられていれば、破損防止手段の具体的な構成や設置箇所等も決して限定されるものではなく、その他本発明に係る注射薬払出装置に用いられる注射薬収容トレイ，注射薬収納部，収容体，収容体収納部，注射薬収容済収容体の収容体保管部の具体的な連接手段，各装置や各部の形状及び構造、更に注射薬の排出及び搬送手段の具体的な形状及び構造等も決して限定されないのはいうまでもない。
【００３８】
【発明の効果】
叙上の様に、本発明は、順次払い出される大小様々の注射薬の破損も確実に防止することが出来るという格別な効果を有するに至った。
【図面の簡単な説明】
【図１】本発明の注射薬払出装置の実施形態を示し、同図（イ）は正面図，同図（ロ）は側面図。
【図２】本発明の注射薬払出装置に用いられる収容体の実施形態を示し、同図（イ）は正面図，同図（ロ）は平面図，同図（ハ）は底面図。
【図３】本発明の注射薬払出装置に用いられる収容体の実施形態を示し、同図（イ）は図２（ロ）のＡ−Ａ線断面図，同図（ロ）は図２（ロ）のＢ−Ｂ線断面図，同図（ハ）は図２（ロ）のＣ−Ｃ線断面図，同図（ニ）は図２（ロ）のＤ−Ｄ線断面図。
【図４】本発明の注射薬払出装置に用いられる収容体の使用状態を示し、同図（イ）は同方向に積み上げた場合の正面図，同図（ロ）は逆方向で交互に積み上げた場合の正面図。
【図５】本発明の注射薬払出装置の収容体収納部内を示す要部拡大説明図。
【図６】本発明の注射薬払出装置における注射薬の収容体への収容時の状態を示し、同図（イ），（ロ），（ハ）は一部断面要部拡大説明図。
【図７】本発明の注射薬払出装置の収容体保管部を示し、同図（イ）は一部断面要部拡大説明図，同図（ロ）は要部拡大説明図。
【図８】本発明の注射薬払出装置における収容体の他の実施形態を示し、同図（イ），（ロ），（ハ），（ニ）は断面図。
【図９】本発明の注射薬払出装置における収容体の他の実施形態を示し、同図（イ），（ロ）は要部拡大斜視図。同図（ハ），（ニ）は側面図。
【図１０】従来の注射薬払出装置を示す正面図。
【符号の説明】
１…注射薬払出装置
１ａ…注射薬払出装置本体
１ｃ…注射薬選択装置
２…注射薬収納部
３…収容体収納部
４…収容体保管部
５…注射薬
６…収容体
７…収容体排出装置
８…注射薬収容済収容体移送装置
９…払出内容告知装置
【図１】
0003809219.tif 000002
【図２】
0003809219.tif 000003
【図３】
0003809219.tif 000004
【図４】
0003809219.tif 000005
【図５】
0003809219.tif 000006
【図６】
0003809219.tif 000007
【図７】
0003809219.tif 000008
【図８】
0003809219.tif 000009
【図９】
0003809219.tif 000010
【図１０】
0003809219.tif 000011